(57)【特許請求の範囲】
【請求項１】
有価シートをスタックにおいて貯蔵する有価シート・ストアであって、
該スタックを支持するための手段と、
該スタックから複数のシートを取り除くことにより、複数の有価シートを払い出すための手段と、
該スタックから２つ以上のシートからなる１つの束が取り除かれるか否かを判定するための手段と、
該複数の有価シートを払い出すための手段が、２つ以上の有価シートからなる１つの束が取り除かれることを判定した場合に、前記束の前記有価シートの１つを除くすべてを前記スタックに戻すように動作可能である手段と、該複数の有価シートが該スタックに戻されつつあるときに、該スタックを支持するための手段を移動させて、該複数の有価シートを払い出すための手段と該スタックとの間の距離を増加させる手段とを含み、
該複数の有価シートを払い出すための手段と該スタックとの間の距離を増加させる手段が、運動可能な回転可能部材上の突起を含み、それによって、一点で間接接合される２つのレバーのうちの１つと該突起が係合し、該スタックを支持するための手段を支持すると共に該スタックを支持するための手段を実質的に１つのレベル位置に維持するシザーズ構成を形成する有価シート・ストア。
【請求項２】
請求項１に記載の有価シート・ストアにおいて、前記複数の有価シートを払い出すための手段が、前記スタックに対して移動するように少なくとも部分的に自由であり、前記複数の有価シートを払い出すための手段に対する銀行券を戻す行為により、前記スタックと前記複数の有価シートを払い出すための手段との距離が増大するように構成される有価シート・ストア。
【請求項３】
請求項１又は２に記載の有価シート・ストアにおいて、該束の該有価シートの１つを除くすべてを該スタックに戻す時点の前に、前記束が、前記複数の有価シートを払いだすための手段によって支持され、前記スタックが、前記スタックと前記戻された有価シートとの間の摩擦を低減する方向に移動されるように構成される有価シート・ストア。
【請求項４】
請求項１乃至３のいずれか１項に記載の有価シート・ストアにおいて、前記束における有価シートの数を示す信号を提供するためのセンサを含む有価シート・ストア。
【請求項５】
請求項１乃至４のいずれか１項に記載の有価シート・ストアにおいて、前記有価シートの１つを除くすべてを該スタックに戻すように動作可能である手段が、前記束の対向側面と摩擦により係合するように構成される第１ローラ及び第２ローラを含み、前記第１ローラ及び前記第２ローラが、回転によって前記スタックから離れて前記束を輸送するように適合される有価シート・ストア。
【請求項６】
請求項５に記載の有価シート・ストアにおいて、前記第１ローラの回転方向と反対の方向に前記第２ローラを回転させる手段を含む有価シート・ストア。
【請求項７】
請求項５に記載の有価シート・ストアにおいて、前記第１ローラと同じ方向に前記第２ローラを回転させ、及び前記第１ローラの回転率より遅い率において前記第２ローラを回転させる手段を含む有価シート・ストア。
【請求項８】
請求項５乃至７のいずれか１項に記載の有価シート・ストアにおいて、前記第１ローラが、前記第２ローラの摩擦係数より大きい摩擦係数を有する有価シート・ストア。
【請求項９】
請求項５乃至８のいずれか１項に記載の有価シート・ストアにおいて、該束の有価シートの数を示す信号を提供するためのセンサを含み、有価シートの１つを除くすべてを該スタックに戻す時点の前に、該束が、該複数の有価シートを払い出すための手段によって支持され、該スタックが、戻されつつある該複数の有価シートと該スタックとの間の摩擦を減少させる方向に移動させられ、前記第２ローラの前記回転率及び前記回転方向のうちの少なくとも１つが、前記センサの出力に依拠する有価シート・ストア。
【請求項１０】
請求項１乃至９のいずれか１項に記載の有価シート・ストアにおいて、前記複数の有価シートを払いだすための手段が、前記スタックの一番上の有価シートと摩擦により係合するための取上げローラを含む有価シート・ストア。
【請求項１１】
請求項１０に記載の有価シート・ストアにおいて、該複数の有価シートを払い出すための手段と該スタックとの間の距離を増加させる手段が、複数の有価シートが該スタックに戻されつつあるときに、前記スタックを前記取上げローラから離れるように移動させる有価シート・ストア。
【請求項１２】
請求項１０又は１１に記載の有価シート・ストアにおいて、該複数の有価シートを払い出すための手段が該スタックに対して移動するのに少なくとも部分的に自由であり、該複数の有価シートを払い出すための手段に対して戻されつつある複数の有価シートにより、該スタックと該複数の有価シートを払い出すための手段との距離が増大するように構成され、該有価シート・ストアは、前記スタックの移動が、該複数の有価シートを払い出すための手段に向かって偏向されるように、前記スタックを支持する手段に接続されたバイアスを含み、該複数の有価シートを払い出すための手段と該スタックとの間の距離を増加させる手段が、前記バイアスの行為に対抗して該スタックを支持するための手段を移動するように構成される有価シート・ストア。
【請求項１３】
請求項１乃至１２のいずれか１項に記載の有価シート・ストアにおいて、前記スタックを保持するためのハウジングを含み、前記ハウジングが複数の側壁を備え、前記側壁の１つに旋回式に取り付けられたリッドを有する、有価シート・ストア。
【請求項１４】
請求項１３に記載の有価シート・ストアにおいて、前記リッドを開くことにより、前記スタックを支持するための手段が移動するように、前記スタックを支持するための手段に前記リッドを連結する手段をさらに含む有価シート・ストア。
【請求項１５】
請求項１４に記載の有価シート・ストアにおいて、該複数の有価シートを該スタックから払い出すための手段が、該スタックの一番上に位置する有価シートに摩擦力によって係合するローラを含み、該スタックを支持するための手段に該リッドを連結する手段が、前記リッドが開いているとき、前記スタックを支持するための手段を前記取上げローラから離れるように移動させる有価シート・ストア。
【請求項１６】
請求項１乃至１５のいずれか１項に記載の有価シート・ストアにおいて、前記スタックを固定するための手段をさらに含み、該スタックを固定するための手段が、前記スタックが固定される固定位置と、前記ストアへのアクセスが提供されるアクセス位置との間において係合可能である有価シート・ストア。
【請求項１７】
請求項１６に記載の有価シート・ストアであって、該スタックを固定するための手段が前記固定位置にあるとき、圧力を前記スタックに加えるプレス手段をさらに含む有価シート・ストア。
【請求項１８】
請求項１７に記載の有価シート・ストアにおいて、前記プレス手段が、前記スタックに重なるプレート、及びスタックの方向において前記プレートに対して圧力を及ぼすための他のレバーを含む有価シート・ストア。
【請求項１９】
請求項１乃至１８のいずれか１項に記載の有価シート・ストアにおいて、前記スタックの移動を防止するためのロック手段を含む有価シート・ストア。
【請求項２０】
請求項１９に記載の有価シート・ストアにおいて、前記ロック手段が、該スタックを支持するための手段と係合してしっかり固定するように構成される有価シート・ストア。
【請求項２１】
請求項１６に記載の有価シート・ストアにおいて、該スタックの移動を妨げるロック手段を含み、前記ロック手段が、前記固定手段が前記固定位置にあるとき、前記スタックを支持するための手段をロックするように構成される有価シート・ストア。
【請求項２２】
請求項１乃至２１のいずれか１項に記載の有価シート・ストアにおいて、前記スタックの寸法が所定のサイズを超えるときを使用者に通知するために基準をさらに備える有価シート・ストア。
【請求項２３】
請求項１乃至２２のいずれか１項に記載の有価シート・ストアにおいて、前記スタックの寸法が所定のサイズを超えるとき、使用者が前記スタックを固定することを防止する手段をさらに備える有価シート・ストア。
【発明の詳細な説明】
【技術分野】
【０００１】
本発明は、有価のシートの貯蔵、具体的にはそのようなシートを分与するように適合された貯蔵に関する。本明細書において使用されるように、「有価シート」は、小切手、銀行券、クーポンなどのあらゆる有価シートを指す。
【背景技術】
【０００２】
両替機または自動販売機、およびこのタイプの機械は、使用者から有価シートを受け取り、つり銭を有価シートの形態で与える。そのような機械は、本明細書では、「銀行券ハンドラ」または「有価シート・ハンドラ」と呼ばれる。有価シート・ハンドラは、いくつかの異なるタイプの有価シート・ストア、および使用者から受け取った有価シートの真正性を判断し、有価シートをつり銭の形態で使用者に戻すための手段を組み込む。有価シート・ハンドラは、１つの位置から他の位置に有価シートを輸送するのに適切な手段を含む。
【０００３】
有価シート・ハンドラは、機械の管理者から地理的に離れていることが重要である。有価シート・ハンドラが動作する際、ハンドラにおける有価シートの割合が変化することが理解されるであろう。したがって、管理者は、有価シートを機械に持って行き、有価シートを機械から取り除く必要がある。
【０００４】
本発明は、そのような有価シート・ハンドラに有価シートを輸送するのに適した有価シート・ストアに主に関する。管理者は、いくつかの有価シートでストアを充填することが可能であり、ストアおよびハンドラは、ストアがハンドラの中に挿入されることが可能であるように設計される。したがって、ストアは、有価シートを有価シート・ハンドラに分与することができることが必要である。そのような有価シート・ストアは、「ペイアウト」と呼ばれる。
【０００５】
ペイアウトが有価シートを有価シート・ハンドラに分与することが可能であるいくつかの既知の方法が存在する。１つのそのような方法では、有価シートは、圧力プレートによって支持されたスタックにおいてペイアウトに貯蔵される。圧力プレートは、スタックの一番上の有価シートが取上げローラと接触するように偏向される。取上げローラは、スタックの一番上の有価シートをストアの外部に輸送するように回転する。
【０００６】
これにより、有価シートが、摩擦および／または折り目のために互いに接着し、ローラの行為により２つ以上の有価シートがペイアウトの外部に輸送される可能性があるという欠点が呈示される。有価シートのそのような束は、有価シート・ハンドラまたはペイアウトにおいて詰まる可能性がある。この議論の残りにおいて、スタックから輸送されている１つまたは複数の有価シートの文脈では、輸送される有価シートは「束」と呼ばれるが、ある場合では、束は単一有価シートを備えることが可能であることが理解されるであろう。
【０００７】
この問題を最小限にするために、束と係合する第１輸送ローラおよび第２輸送ローラを備えるローラの追加のセットを提供することが知られている。１つのそのような例では、第１輸送ローラは、束の一番上の有価シートと係合し、第２輸送ローラは、一番下の有価シートと係合する。束が両方のローラによって係合された後、第２輸送ローラの回転方向は、所定の時間、反対にされる。この行為により、一番上の有価シートを除くすべての有価シートは、ストアに戻る傾向がある。通常、第１輸送ローラは、第２輸送ローラより大きな摩擦係数を有し、それにより、第２輸送ローラが一番上の有価シートと係合するとき、このローラの行為は、一番上の有価シートを変位させない。
【０００８】
これにより、束が少なくとも２つの有価シートを備え、有価シート間の変位が大き過ぎる場合、所定の時間反対方向に回転する第２ローラの行為は、下の有価シートを再びストアの中に駆動するには不十分になり、結果として、束は有価シート・ハンドラの中にさらに輸送され、関連する詰まりの危険性を有するという欠点を呈示する。
【０００９】
一番上の有価シートを除くすべてが束から取り除かれるときでも、他の問題がある。戻る有価シートとスタック上の有価シートとの間の摩擦のために、有価シートは、スタックにおいてしわになる可能性があり、それにより、ペイアウトにおいて詰まりを生じることがある。
【００１０】
有価シートを伴う詰まりは、一般に、人による介入を必要とし、関連するコストがかかる。さらに、機械は、詰まりが解消されるまで動作不能である可能性があり、詰まりのコストをさらに増大させる。
【発明の開示】
【発明が解決しようとする課題】
【００１１】
したがって、束からスタックに有価シートを戻すことによって生じる詰まりを防止することが望ましい。
【課題を解決するための手段】
【００１２】
本発明の第１態様によれば、有価シート・ストアおよび有価シートを分与する関連方法が提供され、シートは、１つまたは複数のシートの束をスタックから取り除くことによって分与され、束の有価シートの１つを除くすべてがスタックに戻され、一方、スタックと分与手段との距離は増大される。
【００１３】
束がスタック以外の手段によって支持される場合、スタックの相対移動により、戻る有価シートとスタックの一番上の有価シートとの間の接触面積は減少し、それにより、詰まりを生じる可能性がある戻り有価シートがしわになる可能性は減少する。
【００１４】
束は、スタックの一番上の有価シートによって画定される平面にほぼ平行な方向において取り除くことが可能である。スタックは、取上げローラを含む分与手段と接触され、束は、取上げローラによってスタックから分与されることが好ましい。有価シートがスタックに戻るとき、スタックと分与手段との距離は、取上げローラから離れてスタックを移動させることによって増大する。
【００１５】
分与手段は、束をスタックから離れて輸送するように作用する第１輸送ローラおよび第２輸送ローラをさらに含むことが可能である。有価シートは、第１輸送ローラおよび第２輸送ローラの行為によって、束からスタックに戻ることが可能である。第１輸送ローラは、束の一番上の有価シートと係合することが可能であり、一方、第２輸送ローラは、束の一番下の有価シートと係合する。有価シートがスタックに戻る最中、第２輸送ローラは、第１輸送ローラの方向とは反対の方向に回転することが好ましい。
【００１６】
有価シートのスタックは、圧力プレートによって支持することが可能であり、スタックは、圧力プレートを移動させることによって移動することが可能である。圧力プレートの移動は、スタックが取上げローラと係合するように促進され、分与動作中の圧力プレートの移動が偏向を相殺するように偏向されることが好ましい。
【００１７】
本発明の他の態様は、有価シートをスタックにおいて貯蔵するストアに関し、スタックを固定する手段を含むスタックは、分与動作中に移動する。これは、ストアが、輸送されているとき、特に有用であるが、その理由は、そうでない場合、輸送中の移動により、スタックに貯蔵されている有価シートの不良位置合わせが生じる可能性があるからである。
【００１８】
スタックが、分与動作中に移動する圧力プレートによって支持される場合、固定手段は、圧力プレートが移動するのを防止するために、圧力プレートを固定することが可能である。
【００１９】
代替または追加として、スタックを固定するために、圧力がスタックに加えられることが可能である。スタックが圧力プレートと重なりプレートとの間にはさまれている場合、圧力プレートに向かう方向に重なりプレートを移動させることによって、圧力をスタックに加えることが可能である。これは、重なりプレートと係合する旋回レバーによって達成することが可能である。
【００２０】
ストアが１つの位置において充填され、ストアが有価シート・ハンドラにおいて装備されている有価シート・ハンドラに輸送されるように適合されている場合、固定手段は、ストアの輸送中に動作することが好ましい。したがって、固定手段は、リッドを上昇させることによってストアにアクセスするとき、および／またはストアが有価シート・ハンドラにおいて装備されているとき、脱係合することが可能である。同様に、固定手段は、リッドが閉じているとき、および／またはストアが有価シート・ハンドラから取り外されるとき、係合することが可能である。
【００２１】
本発明の他の態様は、有価シートをスタックにおいて貯蔵するためのストアに関し、ストアが所定数より多い有価シートを含むときを使用者に示す手段を含むスタックは、分与動作中に移動する。スタックが分与動作中に移動する際、スタックを過剰充填し、分与動作中に移動するには不十分な余地を残すことが可能である。示す手段は、スタックが過剰である信号を使用者に与え、それにより、与えない場合には生じる有価シートの詰まりを回避する。
【００２２】
ストアは、スタックが所定数を超える有価シートを含むとき、ストアを固定するのを防止する手段を含むことが好ましい。これは、使用者が、スタックを過剰充填し、有価シートを詰まらせ、ストアを損傷することになることがある構成においてストアを使用するのを防止する。
【００２３】
ハウジングがリッドを含む場合、ストアは、スタックが所定数より少ない有価シートを含むときの第１位置と、スタックが所定数より多い有価シートを含むときの第２位置との間において動作可能なストップを含むことが可能である。リッドは、第２位置にあるときにストップと係合し、それによりリッドが閉じるのを防止して、ストアを固定する突起を含むことが可能である。ストップは、示す手段に関連付けることが可能である。
【００２４】
ストアは、スタックが所定数より少ない有価シートを含むとき、インジケータと係合する、スタックに重なるプレートを含むことが好ましい。インジケータとの係合により、プレートは、第２位置から第１位置に移動する。ストップがインジケータに関連付けられている場合、インジケータの移動により、ストップは、第２位置から第１位置に移動することが可能であり、それにより、リッドを閉じることが可能になる。
【００２５】
インジケータは、プレートが取り外されているとき、インジケータが第２位置に移動するように、第２位置に向かって偏向されることが好ましい。
【００２６】
本発明の他の態様によれば、有価シート・ストアおよび有価シートを分与する関連方法が提供される。１つまたは複数の有価シートの束がスタックから輸送され、束の有価シートの１つを除くすべてがスタックに戻り、残りの有価シートは分与され、センサが束のシート数を決定する。
【００２７】
有価シートは、第１輸送ローラおよび第２輸送ローラの行為によって束から取り除くことが可能である。第１輸送ローラは、束の一番上の有価シートと係合することが可能であり、第２輸送ローラは、束の一番下の有価シートと係合する。束から有価シートを取り除く際、第２輸送ローラは、静止していることが可能であり、または、第１ローラに対して異なる率で回転することが可能である。第２ローラは、第１ローラの方向と反対の方向に回転し、取り除かれた有価シートは、スタックに戻ることが好ましい。
【００２８】
束の有価シートの数を検出することによって、第１ローラおよび／または第２ローラの行為は、単一の有価シートが束に残存するとき、変更することができる。第１輸送ローラおよび第２輸送ローラの行為は、残りの有価シートをスタックから取り除くように変更されることが好ましい。これにより、２つ以上のシートが輸送されることが回避され、それにより詰まりが回避される。さらに、一番上の有価シートに対する第２ローラの行為は、最小限にすることが可能であり、それにより、この有価シートに対する磨耗が低減される。
【００２９】
本発明の他の態様によれば、サイズの異なる有価シートを収容するために少なくとも１つの調節可能横方向ガイドを含む有価シート・ストアが提供される。
【００３０】
ストアは、長さおよび幅が異なる有価シートを収容するために、２つの調節可能横方向ガイドを含むことが好ましい。
【００３１】
横方向ガイドの少なくとも１つは、下方部分に関して連接された上方部分を含むことが可能である。これにより、使用者は、ガイドを移動させることを必要とせずに、ストアへのアクセスを提供される。連接上方部分の移動が偏向されることが好ましい。
【００３２】
本発明の他の態様は、側壁およびリッドを有するハウジングを含む有価シート・ストアに及び、側壁の１つの少なくとも一部は、リッドが取り外されているとき、側壁の一部がリッドと共に取り外されるように、リッドと一体的に形成される。これにより、使用者のストアへのアクセスは増大し、有価シートをストアから取り除き、かつストアに挿入することができる容易さが増大する。これにより、ストアの保全も補助され、保全担当者は、ストアの構成要素にはるかにより容易にアクセスするようになる。
【００３３】
本発明の他の態様において、平面を記述する少なくとも１つの壁を備えるハウジング、および壁の平面に実質的にある少なくとも１つのヒンジによってハウジングに添付されたハンドルを有する有価シート・ストアが提供される。
【００３４】
それぞれの壁の平面に位置するそれぞれのハンドルを有する２つのストアが共に搬送される場合、２つのストアは、それぞれの壁が互いに隣接するように配向させることが可能である。これにより、２つのストアを輸送することが可能である容易さが増大する。
【００３５】
２つのそれぞれの壁は、ストアが輸送中に互いに対して移動しないように、凹みおよびアバットメントなどの相補手段を有して形成されることが好ましい。これにより、相対移動によりストアを動きにくくすることができるので、２つのストアの輸送の容易さがさらに増大する。
【００３６】
本発明の他の態様は、有価シートが分与されるアパーチャを有するハウジングを含む、有価シートを分与することが可能である有価シート・ストアに関し、ストアは、アパーチャを遮断するように動作可能なシャッタをさらに含む。シャッタは、アパーチャと係合するように形成されることが好ましい。
【００３７】
シャッタは、有価シートへの無許可アクセスを防止する。これは、ストアが有価シートを輸送するために使用されるとき、特に有用である。
【００３８】
ストアが、１つの位置において充填され、ストアが有価シート・ハンドラにおいて装備されている有価シート・ハンドラに輸送されるように適合される場合、シャッタは、輸送中にアパーチャを遮断することが好ましい。ストアを有価シート・ハンドラに挿入することにより、シャッタが、アパーチャの遮断を解除することが好ましい。
【００３９】
アパーチャを介してスタックにアクセスすることをさらに不可能にするために、ストアは、シャッタがアパーチャを遮断しない限り、有価シート・ハンドラからストアを取り外すのを防止する手段を含むことが可能である。これにより、１つまたは複数の有価シートがアパーチャに収容されている場合、ストアの取外しが防止される。これは、ストアを輸送する担当者が、有価シートへのアクセスを許可されるほど十分には信頼されていない場合、有用である。この状況では、詰まりを解消し、再充填のためにストアを取り外すことができるように、ストアを取り外す第２方式が提供されることが好ましい。
【００４０】
他の態様によれば、本発明は、スタックにおいて有価シートを貯蔵するストア、およびスタックの高さを計算する手段を提供する。スタックは、圧力プレートによって支持され、計算は、圧力プレートによって横断される距離の測定に基づくことが好ましい。距離は、基準点と、スタックが分与手段によって係合される点との差とすることが可能である。
【００４１】
ストアは、圧力プレートに対してスタックの反対側の端部において配向された、スタックに重なるプレートを含み、圧力プレートは、基準点から、スタックが重なりプレートと係合する点までスタックを移動させることが好ましい。
【００４２】
これは、スタックに含まれる有価シートの数を評価するのに有用であり、それにより、スタックが所定数より少ない有価シートを含むときを使用者に通知することが可能になる。これを使用することによって、スタックの取除きおよび再充填を最適な時間についてスケジュールすることができ、ストアを取り外すために不必要に出向く回数を最小限にすることができる。
【００４３】
本発明の好ましい実施形態について、以下の図面を参照して、本明細書において記述する。
【発明を実施するための最良の形態】
【００４４】
図１Ａは、ハウジング１２を含む銀行券ストア１０を示す。ハウジング１２の内部には、銀行券のスタック１６ａ、１６ｂ、１６ｃ、・・・、１６ｎを支持する圧力プレート１４が含まれる。圧力プレート１４は、シザーズ構成を形成するように点２２において連接された２つのレバー１８および２０によって支持される。
【００４５】
レバー１８は、ハウジング１２に対して端部２４において固定され、一方、レバー２０の端部２６の移動は、矢印３０の方向の横方向移動を可能にするように制約される。圧力プレート１４は、点２８においてレバー２０に固定され、点１９においてレバー１８に添付される。圧力プレート１４に対するレバー１８の移動は、点１９において可能になる。
【００４６】
圧力プレート１４が上下に移動する際、レバー１８および２０は、点２２の回りにおいて連接し、レバー２０の端部２６は、矢印３０の方向に移動し、圧力プレート１４は、圧力プレート１４の高さを維持するために、レバー１８に対して移動する。
【００４７】
ばね３２が、圧力プレート１４の移動（図を参照）を下方に偏向させ、したがって、上方移動を促進する。ディスク３４が、ピン３６に接続され、ディスク３４が回転する際、ピンは、矢印４０の方向において軸３８の回りに回転する。ピン３６は、ディスク３４の行為によって圧力プレート１４を下方へ移動させるために、レバー１８と係合し、ばね３２の行為下において上方移動が生じる。
【００４８】
ストア１０は、矢印４４の方向に回転する取上げローラ４２、ならびに上方輸送ローラ４６、および下方輸送ローラ４８を備える銀行券ディスペンサをさらに含む。光源５０および光検出器５２も提供され、分与された銀行券が沿って進行する輸送経路の対向側面上において配向される。
【００４９】
取上げローラ４２、上方輸送ローラ４６、および下方輸送ローラ４８、ならびにディスク３４は、これらの要素の適切な回転を提供するために、モータ（図示せず）によって駆動される。さらに、光源５０および光検出器５２は、センサ５２の出力を処理するプロセッサ７０に接続される（接続は図示されていない）。取上げローラ４２、２つの輸送ローラ４６および４８、ならびにディスク３４の回転を制御するモータも、プロセッサ７０に接続され、プロセッサ７０によって制御される。
【００５０】
銀行券を分与するために、取上げローラ４２は、矢印４４の方向に回転する。ばね３２は、一番上の銀行券１６ａが取上げローラ４２と接触するように、圧力プレート１４に対して作用する。したがって、取上げローラ４２が矢印４４の方向に回転することにより、一番上の銀行券１６ａは矢印５４の方向に移動する。
【００５１】
連続する銀行券の間の摩擦のために、取上げローラ４２の行為下において一番上の銀行券１６ａが移動することにより、次にある銀行券１６ｂが移動する可能性があり、これにより、次にある銀行券１６ｃが移動する可能性がある。これは、各分与動作では生じず、一番上の銀行券１６ａと共に移動する可能性がある銀行券の数は、銀行券間の摩擦量に応じて変化することを理解されたい。これは、銀行券の品質、およびばね３２によって圧力プレート１４に及ぼされる圧力に依存する。図示された動作では、銀行券１６ａ、１６ｂ、および１６ｃは、共に分与される。
【００５２】
銀行券１６ａ、１６ｂ、および１６ｃは、銀行券の束を構成する。より少ないまたは多い銀行券が、取上げローラ４２の行為下において輸送されることが可能であり、本明細書において記述される原理は、３つより多いまたは少ない銀行券を備える束に等しく適用可能であることを理解されたい。
【００５３】
図１Ｂに示されるように、銀行券１６ａ、１６ｂ、および１６ｃは、輸送ローラ４６および４８と係合するように、矢印５４の方向に輸送される。輸送ローラ４６および４８は、矢印５４の方向において銀行券１６ａ、１６ｂ、および１６ｃの束をさらに輸送するために、それぞれの矢印５６および５８の方向に回転する。
【００５４】
図１Ｃに示されるように、プロセッサ７０が、有価シートの束が光源５０によって放出された光に入ることを検出するとき、取上げローラ４２の回転と同様に、輸送ローラ４６および４８の回転は停止される。束１６ａ、１６ｂ、および１６ｃが静止しているとき、プロセッサ７０は、センサ５２の出力を測定することによって、束に存在する銀行券の数を決定する。センサ５２の出力は、束の銀行券の数（平均透過率が既知である）に比例する。
【００５５】
プロセッサ７０が、束が２つ以上の有価シートを含むことを検出する場合、ディスク３４は、矢印６０の方向に回転し、これにより、ピン３６がレバー１８と係合し、圧力プレート１４を矢印６２の方向に下方に移動させる。図１Ｃに示されるように、圧力プレート１４が下降することにより、束が輸送ローラ４６および４８によって支持されるので、銀行券１６ｃとスタックに残存する一番上の銀行券１６ｄとの間の接触面積が減少する。
【００５６】
圧力プレート１４が下降した後、下方輸送ローラ４８は、矢印６４の方向に回転し、一方、上方輸送ローラ４６は、依然として静止している。
【００５７】
図１Ｄに示されるように、下方輸送ローラ４８が矢印５８の方向に回転することにより、束の根底にある銀行券１６ｂおよび１６ｃは、矢印６６の方向においてスタックに向かって再び駆動される。上方輸送ローラ４６が静止している間、一番上の銀行券１６ａと上方輸送ローラ４６とが係合していることにより、一番上の銀行券１６ａが適所に留まることが保証される。
【００５８】
上方輸送ローラ４６は、下方輸送ローラ４８より大きい摩擦係数を有する。したがって、根底にある銀行券１６ｂおよび１６ｃがスタックに戻った後、下方輸送ローラ４８と一番上の銀行券１６ａとの間の係合により、一番上の銀行券１６ａは移動しない。
【００５９】
代替実施形態では、銀行券１６ａが移動しないことを保証するために、上方輸送ローラ４６は、図１Ｂに示された矢印５６の方向に回転することが可能である。
【００６０】
他の実施形態では、銀行券１６ａ、１６ｂ、および１６ｃは、矢印５６および５８のそれぞれの方向においてであるが、異なる率において、上方輸送ローラ４６および下方輸送ローラ４８の回転によって互いから分離され、上方輸送ローラ４６は、下方輸送ローラ４８より速く回転する。この場合、銀行券１６ｂおよび１６ｃは、上方輸送ローラ４６および下方輸送ローラ４８の回転方向をその後反対にすることによって、銀行券１６ａが束から分離された後、スタックに戻る。
【００６１】
プロセッサ７０が、束の一番上の銀行券１６ａを除くすべてがスタックに戻ったことを検出した後、ディスク３４は、矢印６８の方向に回転し（図１Ｅ）、それにより、圧力プレート１４は、ばね３２の行為下において矢印７２の方向に移動し、スタックの一番上の銀行券１６ｂは、取上げローラ４２と接触する。
【００６２】
次いで、上方輸送ローラ４６および下方輸送ローラ４８は、それぞれの矢印５６および５８の方向に回転し、銀行券１６ａは、矢印５４の方向にさらに輸送される。
【００６３】
次いで、スタックは、スタック上の次の一番上の銀行券１６ｂを分与する状態にある。
【００６４】
図２は、前面壁１０４、左側壁１０６、およびリッド１０８を有するハウジング１０２を含む、本発明の好ましい実施形態による銀行券ストア１００を示す。この図では見ることはできないが、ハウジングは、右側壁および後部側壁ならびに底部壁をも含む。側壁１０４の一部１０４ａは、リッド１０８と一体的に形成される。
【００６５】
リッド１０８は、シャフト１１０の回りに右側壁に対して旋回し、リッドがそのように旋回するとき、リッドは、線１１２に沿って側壁から分離される。側壁１０４の一部１０４ａはリッド１０８の一部として形成されるので、リッドを開くことにより、使用者または保全者がストア１００の内部にアクセスするようになる間隙が側壁１０４において提供される。
【００６６】
凹み１１４が、リッド１０８において形成され、ハンドル１１６が、凹み１１４に配置される。ハンドル１１６は、ハンドル１１６のヒンジを形成する軸１１８および１２０の回りに旋回する。図２に示されるように、軸１１８および１２０は、側壁１１４とリッド１０８との間において縁１１５の上にある。
【００６７】
リッド１０８は、２つの凹み１３０および２つの相補突起１３２を含む。凹み１３０および突起１３２は、リッド１０８の上に形成されて対称に配置され、それにより、ストア１００などの２つのストアが、隣接するそれぞれのリッドを有して構成されるとき、１つのストアの突起は、他のストアの対応する凹みと係合する。これにより、たとえばストアが輸送されているとき、２つのストアが互いに対して移動するのが防止される。
【００６８】
さらに、前述されたように、ハンドル１１６は、ハウジング１０２の縁１１５の上にある軸１１８および１２０によってハウジング１０２に添付される。したがって、２つのそのようなストアは、それぞれのリッドが隣接し、かつ、それぞれのハンドルが伸張されるとき、互いに隣接して伸張されるように、構成することができる。したがって、使用者は、片手で両方のハンドルを共につかむことによって、２つのそのようなストアを搬送することが可能であることが好都合である。
【００６９】
図３は、リッド１０８が取り外されている銀行券ストア１００を示す。右側壁１２０は、銀行券ストア１００の動作中に銀行券が通って分与されるアパーチャ１２２を画定するように形成される。
【００７０】
右側壁１２０は、シャフト１１０が通って延び、右側壁１２０とリッド１０８（図２）との間においてヒンジを形成する構成１２４を含む。
【００７１】
ハウジング１０２の内部に含まれて、銀行券ストア１００は、内部シャーシ１４０、スタック支持アセンブリ２００、およびプレート３００を含む。
【００７２】
スタック支持アセンブリ２００は、図５においてさらに示されている。アセンブリ２００は、ピン２０６によって形成される軸の回りに互いに対して旋回するように、ピン２０６によって互いに接合された第１前面レバー２０２および第２前面レバー２０４を含む。
【００７３】
アセンブリ２００は、ピン２１０によって第２前面レバー２０４に添付された圧力プレート２０８をさらに含む。第２前面レバー２０４は、第２前面レバー２０４に対する圧力プレート２０８の移動が、凹み２１２におけるピン２１０の移動によって制約されるように、内部に形成された凹み２１２を有する。圧力プレート２０８は、ピン２１４によって第１前面レバー２０２に接続される。
【００７４】
第１後面レバー２１８が、ピン２１７によって第２後面レバー２１６に接続される（図６参照）。第１後面レバー２１８および第２後面レバー２１６は、レバー２１６の凹み２２２に位置するピン２２０、ならびに第１後面レバー２１８および圧力プレート２０８を接続するピン２２４で、同様の方式で圧力プレート２０８に接続される。第２前面レバー２０４は、内部シャーシ１４０に不動に接続されるロッド２６０によって第２後面レバー２１６に接続される。レバー２０４および２１６は、このロッド２６０に旋回式に取り付けられる。
【００７５】
らせんばね２３０（図５）が、圧力プレートと銀行券ストア１００（図２）のハウジング１０２の底部壁との間において作用する。
【００７６】
スタック支持アセンブリ２００は、２つの横方向ガイド２３２および２３４をさらに含む（以下において図７を参照して記述される）。
【００７７】
図６を参照すると、モータ２４０が、ハウジング１０２の後面壁１２６と内部シャーシ１４０との間に配置される。モータ２４０は、一連のコグ（図示せず）によってディスク２４２に接続され、ディスク２４２は、アーム２４４に接続される。アーム２４４は、第２後面レバー２１６と係合するピン２４６を有して形成される。
【００７８】
第１前面レバー２０２は、ロッド２２６によって往復移動プレート２２８に接続され、第１後面レバー２１８は、ロッド２４８によってプレート２２８に接続される。
【００７９】
モータ２４０は、ディスク２４２を回転させ、それにより、ピン２４６は、第２後面レバー２１６を移動させる。第２後面レバー２１６、圧力プレート２０８、第１後面レバー２１８および第１前面レバー２０２、ならびに第２前面レバー２０４の間の上述された接続により、また、レバー２０４および２１６を接続するロッド２６０が内部シャーシ１４０に対して不動であるので、圧力プレートは、ピン２４６が適切な方向に回転するとき、内部シャーシ１４０に対して矢印２５０（図５）の方向において下方に移動する。圧力プレート２０８に対するらせんばね２３０の行為により、圧力プレート２０８は、内部シャーシ１４０に対して矢印２５２（図５）の方向において上方に移動する。
【００８０】
ストア１００の使用時、圧力プレート２０８は、プレート２０８の上面上のスタックに配置された複数の銀行券を支持する。プレートが上下に移動する際、銀行券のスタックも同様に移動する。
【００８１】
往復移動プレート２２８は、圧力プレート２０８が上下に移動する際、矢印２６２の方向において前後に移動する。アーム２７０が、内部シャーシ１４０に接続され、ピン２７２によって形成される軸の回りに旋回する。アーム２７０は、のこぎり歯表面を有するアバットメント２７４を含む。相補のこぎり歯表面２７６が、往復移動プレート２２８の上に形成される。
【００８２】
アーム２７０を旋回させることによって、アバットメント２７４ののこぎり歯表面は、往復移動プレート２２８ののこぎり歯表面２７６と係合することができ、これにより、アーム２７０と往復移動プレート２２８との間の相対移動が防止される。これにより、圧力プレート２０８の移動が防止され、それにより、プレート２０８は任意の位置において固定される。
【００８３】
これは、ストア１００が輸送されるときに有用であるが、その理由は、分与動作が試行されるとき、銀行券のスタックを乱し、銀行券の不良位置合わせおよび詰まりを生じることがある、圧力プレート２０８の不必要な移動を防止するからである。
【００８４】
図７を参照すると、取上げローラ３０２および上方輸送ローラ３０４が、プレート３００に回転式に添付される。下方輸送ローラ３０６が、軸３０８によってプレート３００に回転式に添付される。モータ３０９（図３に示されている）が、当技術分野において既知の方式で、ウォーム・ギア（図示せず）およびコグ・ギア３１２を介して、取上げローラ３０２ならびに上方輸送ローラ３０４および下方輸送ローラ３０６を駆動し、それにより、取上げローラ３０２ならびに上方輸送ローラ３０４および下方輸送ローラ３０６は、ストア１００から銀行券を分与するように銀行券と相互作用する。モータ３１０は、必要に応じて、銀行券をスタックに戻す方向において、ギア３１３のチェーンを経てローラ３０６を駆動する。したがって、取上げローラ３０２ならびに上方輸送ローラ３０４および下方輸送ローラ３０６は、図１Ａから１Ｄに示された取上げローラ４２ならびに上方輸送ローラ４６および下方輸送ローラ４８を参照して上述された方式で、圧力プレート２０８によって支持されたスタックからの銀行券と相互作用する。
【００８５】
再び図３を参照すると、銀行券ストア１００は、図４においてより詳細に示されるように、内部シャーシ１４０に接続され、かつ光ガイド１３８を支持する支持体１３６を含む。点で外形が示されている２つのＬＥＤ１５０および１５２は、光ガイド１３８に収容される。ＬＥＤ１５０および１５２が活動化されるとき、光ガイド１３８は、圧力プレート２０８によって支持された放出された光を収集し、スタックの上に貯蔵されている一番上の銀行券とアパーチャ１２２との間に延びる銀行券輸送経路に向かって下方に向ける。光は、光ガイド１３８のアパーチャ１５４および１５６を経て放出される。
【００８６】
図８に示されるように、内部シャーシ１４０は、光ガイド１３８の対向するそれぞれのアパーチャ１５４および１５６に配置されたセンサ１６０および１６２を含む。したがって、ＬＥＤ１５０および１５２によって放出された光は、センサ１６０および１６２によって感知される。光ガイド１３８ならびにセンサ１６０および１６２は、銀行券輸送経路の対向側面上に配置されるので、１つまたは複数の銀行券が適切に配置されるとき、センサ１６０および１６２は、銀行券を透過した光を感知する。
【００８７】
再び図７を参照すると、銀行券ストア１００は、モータ３１０に接続された回路板３５０、ベルト、滑車およびクラッチ・システム３１２、ならびにモータ２４０（図６）を含む。回路板３５０は、コネクタ３５２を含み、メモリを有するプロセッサ３５４を備える。
【００８８】
プロセッサ３５４は、モータ３１０、ベルト、滑車およびクラッチ・システム３１２、モータ２４０、ならびにＬＥＤ１５０および１５２を制御し、図１Ａから１Ｅの銀行券ストア１０を参照して上述された方式でストア１００に貯蔵されている銀行券を分与するために、これらの要素を動作するように、センサ１６０および１６２を監視する。
【００８９】
図８は、銀行券ストア１００の上面図であり、ハウジング１０２の左側壁１０６および前面側壁１０４に関する横方向ガイド２３２および２３４の配向を示す。
【００９０】
横方向ガイド２３２は、垂直部分４００および水平部分４０２を含む。２つの細長い凹み４０４および４０６が、水平部分４０２において形成される。２つのねじ４０８および４１０が、それぞれの凹み４０４および４０６に配置され、ガイド２３２を内部シャーシ１４０（相補穴（図示せず）が形成されている）のフロアに添付するように作用する。
【００９１】
ねじ４０８および４１０は、使用者によってきつく締め、かつゆるめることができるように手動で動作可能である。ねじ４０８および４１０がゆるめられた後、ガイドは、矢印４１２の方向に移動し、ねじは、側壁２３２が望ましい位置にあるとき、きつく締めることが可能である。
【００９２】
横方向ガイド２３４は、垂直部分４１４および水平部分４１６を含む。水平部分４１６は、凹み４１８を有して形成され、ねじ（図示せず）が、内部に形成された穴４２０を経て内部シャーシ１４０のフロアに水平部分４１６を添付する。使用者は、ねじをゆるめることによって、矢印４２４の方向に横方向ガイド２３４を移動させることができる。シャーシ１４０のフロアは、ガイド２３４の水平部分４１６の移動を制約するために、細長いアバットメントと４２２および４２４を有して形成される。ガイド２３４が望ましい位置にあるとき、ねじは再びきつく締められる。
【００９３】
このようにして横方向ガイドを移動させることによって、銀行券ストア１００は、異なる幅および長さの銀行券のスタックを収容することができ、スタックの銀行券の横方向移動は、ガイドによって防止される。
【００９４】
シャーシ１４０のフロアは、それぞれのねじ４０８および４０６を収容するために穴４２６および４２８を有してさらに形成される。同様に、シャーシ１４０のフロアは、穴４２０と係合するねじを収容するために、穴４３０および４３２を有して形成される。これらの追加の穴４２６、４２８、４３０、および４３２は、間隔をおいて配置され、それにより、ガイドは、それぞれのねじを望ましい穴に挿入して、ねじに接して移動されるガイドの水平部分のそれぞれの凹みを隣接させることによって、所定の標準サイズの銀行券を収容するように迅速に移動することができる。
【００９５】
図３および５に示されるように、横方向ガイド２３２の垂直部分４００は、矢印４４０の方向において上方部分４３４が下方部分４３６に対して移動するのを可能にするヒンジ４３８によって互いに接続された上方部分４３４および下方部分４３６から形成される。ヒンジ４３８は、矢印４４０とは反対方向に上方部分４３４を移動させるために、ばね（図示せず）を含む。
【００９６】
横方向ガイド２３２の垂直部分４００の下方部分４３６に対する上方部分４３４の移動により、使用者は、横方向ガイド２３２を移動させることを必要とせずに、圧力プレート２０８によって支持された銀行券のスタックにアクセスすることができるようになる。
【００９７】
図３および７を参照すると、プレート３００は、突起４５０を含む。プレート３００は、ロッド４５２によって内部シャーシ１４０に対して蝶番式に取り付けられる。プレート３００がロッド４５２の回りに旋回する際、突起４５０は、内部シャーシ１４０において形成された間隙４５４において往復移動する。
【００９８】
図９に示されるように、インジケータ４５６が、プレート３００に対してシャーシ１４０の反対側において、軸４５８の回りに内部シャーシ１４０に旋回式に添付される。
【００９９】
図１０は、プレート３００、内部シャーシ１４０、およびインジケータ４５６を分解図において示す。プレート３００の突起４５０が間隙４５４において往復移動する際、突起４５０は、インジケータ４５６の延長部４６０と係合し、それにより、インジケータ４５６は、矢印４６２（図９）の方向において軸４５８の回りに旋回する。インジケータ４５６は、プレート３００が上方に旋回する際、突起４５０が上昇されるときの矢印４６６の方向において、インジケータ４５６を反対方向に移動させるばね４６４を含む。それにより、インジケータは、静止位置（矢印４６６の方向）と動作位置（矢印４６２の方向）との間において移動する。
【０１００】
再び図１０を参照すると、インジケータ４５６は、第１インジケータ表面４６８および第２インジケータ表面４７０を有し、前記表面４６８および４７０はフラグを形成する。内部シャーシ１４０は、間隙４７２を有して形成され、間隙４７２を経て、インジケータが静止位置にあるとき、第１インジケータ表面４６８を見ることができ、インジケータ４５６が動作位置にあるとき、第２インジケータ表面４７０を見ることができる。
【０１０１】
図１１は、銀行券ストア１００のある部分の一部を示す。リッド１０８（点で外形が示されている）は、間隙４８２が形成される作動装置４８０を含む。レバー４８４が、スタック支持アセンブリ２００の第２前面レバー２０４にリッド１０８を接続する。レバー４８４の上方端部のピン４８６が、作動装置４８０の間隙４８２において往復移動する。
【０１０２】
レバー４８４は、間隙４８８を含み、第２前面レバー２０４のピン４９０は、間隙４８８において往復移動する。リッド１０８が、シャフト１１０（図２）の回りに旋回することによって開かれる際、作動装置４８０は、レバー４８４を移動させるようにピン４８６と係合する。レバー４８４の移動により、ピン４９０は、第２前面レバー２０４を移動させるように、間隙４８８と係合する。前述されたように、レバー２０４の移動により、圧力プレート２０８は移動する。
【０１０３】
したがって、リッド１０８を開くことにより、圧力プレートが、側壁１０６に添付されたストップ４９２と係合するまで、圧力プレート２０８は、矢印２５０（図５および７）の方向において下方に移動する。リッドが完全に開かれた後、圧力プレート２０８は、この実施形態では圧力プレート２０８が分与動作中に下方に移動するように、５１ｍｍのリーウエイを提供するストップ４９２の配置によって決定される所定の位置に配置されることが理解されるであろう。リッドを閉じることにより、ストップは移動し、それにより、圧力プレート２０８は再び上方に移動することが可能になる（この機構は、図には示されていない）。
【０１０４】
使用者が、ストア１００において銀行券のスタックを補充するとき、リッド１０８は開かれ、圧力プレート２０８は所定の位置に移動する。プレート３００は、ロッド４５２の回りに旋回し、銀行券は、横方向ガイド２３２および２３４によって制約された圧力プレート２０８の上に配置される。次にプレート３００は、図に示された位置に再び旋回する。
【０１０５】
過度に多くの銀行券がスタックに存在する場合、プレート３００は、突起４５０がインジケータ４５６の延長部４６０と係合するのに十分には後方に旋回しない。この場合、第１インジケータ表面４６８は、間隙４７２と依然として位置合わせされている。図示された実施形態では、第１インジケータ表面４６８は、スタックが過度の銀行券を含むことを使用者に示すために、赤に着色される。
【０１０６】
銀行券スタックの高さが十分に短い場合、プレート３００は、突起４５０がインジケータ４５６の延長部４６０と係合して、矢印４６２の方向にインジケータ４５６を移動させ、第２インジケータ表面４７０が間隙４７２と位置合わせされる位置に再び完全に旋回することができる。第２インジケータ表面４７０は、ストアを固定して使用することができることを使用者に示すために、緑に着色される。
【０１０７】
内部シャーシ１４０は、図１０に示されるように、間隙４７２に隣接して位置する第２間隙４７４を含む。図１２は、内部シャーシ１４０の間隙４７４と係合する突起４７６を含むリッド１０８の下面を示す。再び図１０を参照すると、第１インジケータ表面４６８は、インジケータが静止位置にあるとき、第１インジケータ表面４６８が、リッド１０８の突起４７６が第２間隙４７４の中に完全に挿入されるのを遮断し、それによりリッド１０８が完全に閉じられるのを防止するように成形される。
【０１０８】
第２インジケータ表面４７０は、インジケータが動作位置に移動したとき、突起が第２間隙４７４に完全に挿入されることが可能であり、それにより、リッドを閉じることを可能にするように成形される。
【０１０９】
このようにして、静止位置と動作位置（ストア１００に挿入されたスタック上の銀行券の数によって決定される）との間のインジケータの移動は、リッド１０８を閉じることができる、またはできないかを判定し、したがってストアを固定することができるかを判定する。インジケータ表面４６８および４７０の異なる色による視覚的インジケータが使用者に提供されない代替実施形態では、リッドを閉じる、および／またはロックする（以下において記述される）ことができないことは、過度に多くの銀行券がスタックに存在するというインジケータとして使用者に対して作用することが理解されるであろう。
【０１１０】
図２および３を再び参照すると、ストア１００は、ロック５００を含む。ロック５００は、ストア１００のハウジング１０２に添付され、適切なキーによって動作可能である、ホルダ５０４内において回転可能なカム５０２を含む。
【０１１１】
リッド１０８（図１２）は、ねじおよびウォッシャ構成５０８および５１０によって添付されたプレート５０６を含み、それにより、プレート５０６は、矢印５１２の方向においてリッド１０８に対してスライドすることができる。プレートは、プレート５０６と共に移動する３つのキャッチ５１４、５１６、および５１８を含む。プレート５０６は、突出作動装置５２０をも含む。
【０１１２】
リッド１０８が閉じているとき、突出作動装置５２０は、ロック５００のカム５０２と係合し、それにより、カム５０２が使用者によって回転するとき、突出作動装置５２０に対するカム５０２の行為により、プレート５０６は矢印５１２の方向にスライドする。ばね５２２は、反対方向にプレート５０６を促進する。
【０１１３】
図３を参照すると、ストア１００は、側壁１０６に添付されたロック・プレート５２２を含む。ロック・プレートは、フランジ５２４、５２６、および５２８を含む。リッド１０８が閉じていて、プレート５０６がカム５０２の行為下においてスライドするとき、プレート５０６のキャッチ５１４、５１６、および５１８は、それぞれのフランジ５１４、５１６、および５１８と係合し、それにより、リッド１０８を側壁１０６に対してロックし、ハウジング１０２を固定する。
【０１１４】
前述されたように、スタックが、リッド１０８の突起４７６とインジケータ４５６との間の相互作用により、リッド１０８が完全に閉じられるには過度に多くの銀行券を含むとき、ラッチ５１４、５１６、および５１８は、フランジ５２４、５２６、および５２８と係合せず、それにより、ハウジング１０２の固定を防止する。
【０１１５】
図１３は、ストア１００の詳細を示す。上方自由ローラ５３０および下方自由ローラ５４０が、内部シャーシ１４０に取り付けられる（上方自由ローラ５３０の取付けを示す図８を参照されたい、下方自由ローラ５４０は、そのすぐ下に取り付けられている）。シャッタ５５４が、シャッタ５５４の形成された間隙５６０と相互作用するねじおよびウォッシャ構成５５６および５５８で側壁１２０の内表面にスライド式に取り付けられる。シャッタは、矢印５６２の方向において、ハウジング１０２の側壁１２０に対して上下に移動することが可能であるように取り付けられる。
【０１１６】
ハウジング１０２の側壁１２０のアパーチャ１２２は、側壁１２０（図３）に位置するブラケット５６０によって部分的に画定され、上方自由ローラ５３０および下方自由ローラ５４０によってさらに画定される。上方ローラ５３０および下方ローラ５４０は、それぞれの軸５３４および５４４に沿って互いから間隔をおいて位置するそれぞれの係合表面５３２および５４２を有して形成される。銀行券の分与中、係合表面５３２および５４２は、ストア１０から分与される銀行券と係合する。
【０１１７】
上方自由ローラ５３０および下方自由ローラ５４０の係合表面５３２と５４２との間隔は、侵入者が、ストア１０に貯蔵されている銀行券にアクセスすることを試行して、物体を挿入する可能性があるギャップを提供する。したがって、シャッタ５５４は、シャッタが上方位置にあるとき、アパーチャを遮断するために上方自由ローラ５３０および下方自由ローラ５４０が差し込まれる突起５６４を有して形成され、突起５６４は、上方自由ローラ５３０および下方自由ローラ５４０の係合表面５３２と５４２との間のギャップを充填する。
【０１１８】
これは、ストアが輸送されているとき、ストア１００への無許可アクセスが可能ではないことを保証するセキュリティ・バイスとして作用する。これは、銀行券をフック留めして、銀行券をストアから抽出することを試行して、利用可能なアパーチャにワイヤが挿入される「フィッシング」を防止するのに特に有効である。
【０１１９】
図１３には、歯５６７を有し、点５６８の回りに旋回式に取り付けられたコグ５６６も示されており、それにより、コグ５６６は、矢印５７０および５７２の方向において可動である。図１４は、突起５７４を含むコグ５６６の反対側面を示す。
【０１２０】
図１５は、シャッタ５５４の図であり、ピン５７８および５８０によってシャッタ５５４の上に取り付けられたスライド・フィンガ５７６を示す。フィンガ５７６は、矢印５８２および５８４の方向においてピン５７８および５８０に対してスライド式に可動である。フィンガ５７６およびシャッタ５５４に添付されたばね５８６が、矢印５８４の方向においてフィンガ５７６の移動を偏向させる。フィンガ５７６は、高さ上方表面５９０および傾斜下方表面５９２を有するフック５８８をさらに含む。
【０１２１】
再び図１４を参照すると、コグ５６６が矢印５７２の方向に移動し、シャッタ５５４が上方位置にあるとき、突起５７４は、点５６８の回りに回転し、スライド・フィンガ５７６の傾斜下方表面５９２と接触し、矢印５８２の方向にフィンガを移動させる。表面５９２が傾斜しているので、シャッタ５５４のその後の下方移動により、フィンガ５７６は矢印５８２の方向においてさらに移動する。しかし、突起５７４がフィンガ５７６のフック５８８との係合から外れた後、フィンガ５７６は、ばね５８６の行為下において矢印５８４の方向にスライドし、突起５７４とフック５８８の上方高さ表面５９０との間の係合は、コグ５６６が矢印５７０の方向に回転することによって突起５７４が移動するまで、シャッタ５５４の上方移動を防止する。
【０１２２】
図１３を参照すると、ウエッジ５９４が、軸５９５の回りの矢印５９６および５９８の方向の回転移動を可能にするために、内部シャーシ１４０に取り付けられる。レバー６００が、ウエッジ５９４をシャッタ５５４に接続し、点６０２および６０４の回りに連接される。したがって、矢印５９８の方向におけるウエッジ５９４の移動により、シャッタ５５４は下降し、矢印５９６の方向における移動により、シャッタ５５４は上昇する。図１３に示されるのとは反対のウエッジ５９４の側面において、ウエッジ５９４（外形が点で示されている）の突起６０６は、ばね６０８（やはり点で外形が示されている）と係合する。ばね６０８は、矢印５９６の方向におけるウエッジ５９４の移動、したがってシャッタ５５４の上方移動を促進する。
【０１２３】
ウエッジ５９４は、圧力プレート２０８（図４）の下面と係合する突出部材６１０をさらに含む。圧力プレート２０８の下方移動により、ウエッジ５９４は、矢印５９８の方向に回転し、それにより、シャッタ５５４は下方に移動する。
【０１２４】
シャッタ５５４が上方位置にあるとき、シャッタ５５４に対する行為によるシャッタ５５４の下方移動は、シャッタ５５４に対するレバー６００の位置合わせ、および線形力を変換しないウエッジ５９４によって防止される。しかし、ウエッジ５９４の回転移動は、シャッタ５５４の下方移動に容易に変換される。シャッタ５５４が、上方位置にあるとき、アパーチャ１２２（図２）を遮断するので、ウエッジ５９４は、リッド１０８を開かずに（開くためにキーを必要とする）、ストア１００の外部からアクセス可能ではない。したがって、シャッタ５５４は、上方位置にあるとき、ストア１００への無許可アクセスを保証するように作用する。
【０１２５】
図１４にも示されるように、コグ５６６は、外向きに突出するピン６１２を含む。シャッタ５５４は、シャッタ５５４が上方位置にあるとき、コグが、矢印５７０および５７２の方向において自由に回転するように成形されるフランジ６１４（図１３および１５）を含む。しかし、シャッタが下方位置にあるとき、フランジ６１４と突出ピン６１２との間の係合により、矢印５７０の方向のコグ５６６の回転は防止される。
【０１２６】
図３および６は、ハウジング１０２に対して回転移動するように取り付けられた円筒６２０を示し、円筒６２０は、アパーチャ６２２、および円筒６２０の周囲の一部の回りに構成された複数の歯６２４を含む。
【０１２７】
以下において記述されるように、図２２を参照すると、ストア１００は、銀行券ハンドラ８００に挿入されることが可能である。図６に示されるように、印刷回路板３５０は、ストア１００が銀行券ハンドラに挿入されるとき、銀行券ハンドラと接続されるコネクタ３５２を含む。プロセッサ３５４が、接続を検出する。
【０１２８】
銀行券ハンドラは、円筒６２０のアパーチャ６２２と係合するように成形された作動装置６２６（図３に示されている）を含む。アパーチャ６２２は、作動装置６２６がアパーチャ６２２に挿入されるとき、円筒６２０がハウジング１０２に対して回転するように、らせんとして形成される。
【０１２９】
コグ５６６（図１３および１４）の歯５６７は、円筒６２０の歯６２４と係合し、それにより、円筒６２０が回転することにより、コグは、矢印５７０および５７２の方向に移動する。らせんアパーチャ６２２は、ストア１００を銀行券ハンドラに挿入することにより、円筒６２０が矢印５７２の方向に回転し、矢印５７０の方向において抽出されるように形成される。
【０１３０】
したがって、ストア１００が銀行券ハンドラに挿入されるとき、作動装置６２６とアパーチャ６２２との間の係合により、ウエッジ５６６は矢印５７２の方向に回転する。これにより、突起５７４とスライド・フィンガ５７６の傾斜下方表面５９２との間が係合する。ストア１００が銀行券ハンドラにおいて装備された後、プロセッサ３５４は、装備を検出して、モータ２４０を作動し、これにより、圧力プレート２０８は、初期設定段階中に下方に移動する。これにより、シャッタ５５４は下方に移動し、それにより、アパーチャ１２２が開き、内部に貯蔵されている銀行券を分与するようにストア１００を準備する。
【０１３１】
銀行券がストア１００から分与される際、圧力プレート２０８は、ばね２３０の行為下において上方に移動する。次いで、シャッタ５５４は、フィンガ５７６のフック５８８のレベル上方表面５９０が、シャッタ５５４のさらなる上方移動を阻止するウエッジ５６６の突起５７４と係合するまで、ばね６０８の行為下において上方に移動する。
【０１３２】
ストア１００が銀行券ハンドラから抽出されるとき、作動装置６２６とアパーチャ６２２との間の係合により、ウエッジ５６６は、矢印５７０の方向に回転する。これにより、突起５７４は、フィンガ５７６との係合から外れ、シャッタ５５４は、アパーチャ１２２が閉じられるまで、ばね６０８の行為下において上昇移動を続行する。
【０１３３】
シャッタが、たとえば銀行券が分与動作中にアパーチャ１２２において詰まる場合に閉じることができない場合、ウエッジ５６６の突出ピン６１２とシャッタ５５４のフランジ６１４との間の係合は、ウエッジ５６６が矢印５７０の方向に回転するのを防止する。これにより、円筒６２０が作動装置６２６に対して回転するのが防止され、それにより、このような方式でストア１００が銀行券ハンドラから取り外されるのを防止する。
【０１３４】
次いで、銀行券ハンドラからのストア１００の取外しは、銀行券ハンドラにアクセスして、作動装置６２６を手動で回転させることによって、異なる方式で実施される。これは、抽出して銀行券ハンドラにアクセスすることによって銀行券ハンドラからストア１００を取り外すことを、異なる信頼度を有する異なる人々に課すことができるので、有利である。
【０１３５】
図１６は、内部シャーシ１４０およびプレート３００を示す。円筒６２０は、アーム６４０に接続され、アーム６４０は、ピン６４４の回りに旋回移動するように、内部シャーシ１４０に取り付けられたレバー６４２に接続される。レバー６４２は、傾斜表面６４８を有するフランジ６４６を含む。
【０１３６】
図１２は、リッド１０８に対するレバー６４２の位置を示す。リーフばね６８０が、傾斜表面６４８とプレート３００との間に係合を生じる方向におけるレバー６４２の移動を促進する（以下において記述される）。線形カム６８２が、内部シャーシ１４０に取り付けられ、矢印６８６および６８８の方向において可動である。図７に示されるように、プレート３００は、線形カム６８２が相互作用する表面６９０を含む。線形カム６８２が矢印６８８の方向に移動するとき、プレート３００は、矢印６８４（図１６）の方向において上方に移動するように促進される。レバー６４０は、線形カム６８２とも相互作用し、それによりカムは矢印６８６の方向に移動する（それにより、カムはプレート３００と脱係合する）。
【０１３７】
円筒６２０の回転により、アーム６４０は、レバー６４２がピン６４４の回りに旋回するように移動する。アーム６４４の旋回により、フランジ６４６の傾斜表面６４８は、プレート３００と係合し、また脱係合する。図７に示されるように、プレート３００は、相補傾斜表面６５０および自由ローラ６５２を含む。レバー６４２の傾斜表面６４８は、傾斜表面６５０と自由ローラ６５２との間においてプレート３００と係合する。
【０１３８】
円筒６２０は、ストア１００を銀行券ハンドラに挿入することによって回転し（以前に記述されたように）、抽出によって反対方向に回転する。挿入により、円筒は、レバー６４０を作動させ、それにより、レバー６４２は、ばね６８０の行為下においてプレート３００との係合から外れて移動する。同時に、線形カム６８２は、矢印６８８の方向に移動し、それにより、矢印６８４（図１６）の方向にプレート３００を上昇させる。抽出により、レバー６４２とプレート３００との間が係合し、線形カム６８２は、プレート３００との係合から外れて移動し、それにより、プレート３００は下方に移動する。
【０１３９】
取上げローラは、プレート３００が浮動するように、プレート３００に対して取り付けられる。すなわち、取上げローラ３０２が、ある程度の量上下方向に移動することが可能になる（図を参照）。２つ以上の銀行券がスタックから取り除かれ、前述された方式で銀行券がスタックに戻るとき、取上げローラ３０２の自由移動は、取上げローラ３０２と戻り銀行券との間の摩擦を低減する。
【０１４０】
取上げローラ３０２のこの自由移動に対応するために、プレート３００は、適所においてロックされた後、ある程度自由に移動することが可能である。図示された実施形態では、この自由度は、ストア１００のハウジング１０２に対して６度の回転である。輸送中のスタックの移動を防止するために、プレート３００は、ロック・ダウンされなければならず、これは、円筒６２０の適切な回転により、ストア１００を銀行券ハンドラから取り外すことによって生じる、レバー６４２の傾斜表面６４８プレート３００の相補傾斜表面６５０との間の相互作用によって達成される。
【０１４１】
同様に、円筒６２０の行為による挿入により、線形カム６８２は、プレート３００と係合し、レバー６４２は、プレート３００から脱係合し、これにより、分与動作中に取上げローラ３０２が自由に移動することが可能になる。
【０１４２】
図１３を再び参照すると、ウエッジ５６６は、ウエッジ５６６のリムの付近に位置する突起６３０をさらに含む。前述されたように、図５を参照すると、圧力プレート２０８の下方移動は、アバットメント２７４ののこぎり歯表面が往復移動プレート２２８ののこぎり歯表面２７６と係合するとき、防止される。アーム２７０は、作動装置２７８を含む。ウエッジ５６６が矢印５７２の方向に移動するとき、突起６３０は、作動装置２７８と接触し、これにより、アーム２７０は、ピン２７２の回りに旋回し、アバットメント２７４ののこぎり歯表面を往復移動プレート２２８ののこぎり歯表面２７６から離れるように移動させる。したがって、ストア１００を銀行券ハンドラに挿入することにより、圧力プレート２０８は自由に移動することが可能になる。
【０１４３】
ストア１００が抽出によって銀行券ハンドラから取り外されるとき、アーム２７０は、ウエッジ５６６の突起６３０が矢印５７０の方向において移動するので、再び自由に旋回する。アーム２７０は、この反転移動を促進し、それにより、圧力プレート２０８の移動を防止することによって圧力プレート２０８をロックするばね（図示せず）を含む。
【０１４４】
図１１に示されるように、リッド１０８を第２前面レバー２０４に接合するレバー４８４は、傾斜表面６６２を有する作動装置６６０を含む。リッド１０８が開閉される際、作動装置６６０は、矢印６６４の方向において上下に移動する（リッド１０８を開くことにより、上昇移動が生じ、閉じることにより、下降移動が生じる）。
【０１４５】
図５に示すアーム２７０は、図１１に示す作動装置６６０の傾斜表面６６２と係合する構成６６６（図５）を含む。したがって、リッド１０８が図１１に示すように開くことにより、作動装置６６０は上昇移動し、作動装置６６０が構成６６６と係合することにより、アーム２７０は旋回して、そのアバットメント２７４ののこぎり歯が、往復移動プレート２２８の側端に設けられているのこぎり歯表面２７６と脱係合し、それにより、圧力プレート２０８をアンロックする。
【０１４６】
レバー４８４の間隙４８８、およびリッド１０８の作動装置４８０の間隙４８２は、リッド１０８を開くことにより、圧力プレート２０８が作動装置６６０の行為によってアンロックされる前に、圧力プレート２０８が下降しないことを保証する。
【０１４７】
図５および６に示されるように、ストア１００は、ロッド２６０に取り付けられ、ロッド２６０に対して旋回することができるコグ２８６を含む。コグ２８６は、ピン２８８によって第２後面レバー２１６に接合される。したがって、第２後面レバー２１６が、圧力プレート２０８が上下に移動する際にロッド２６０の回りに旋回する際、コグ２８６もロッド２６０の回りに旋回する。
【０１４８】
コグ２８６は、図１７においてより詳細に示される高さ検出器３６０と係合する。高さ検出器３６０は、ピン３６４、３６６、および３６８によって内部シャーシ１４０に接続されたフレーム３６２を含む。セグメント・コグ３７０が、回転移動するようにフレーム３６２に取り付けられ、摩擦ホイール３７２に接続される。摩擦ホイール３７２は、コーディング・ホイール３７６に添付される摩擦ホイール３７４と係合する。コーディング・ホイール３７６は、いくつかのアパーチャ３７８を含む。
【０１４９】
コグ２８６がロッド２６０の回りに旋回する際、コグ２８６は、セグメント・コグ３７０と係合してそれを回転させる。コグ３７０が回転することにより、摩擦ホイール３７２が回転し、これにより摩擦ホイール３７４が回転し、それによりコーディング・ホイール３７６が回転する。
【０１５０】
図１８は、内部シャーシ１４０に取り付けられた高さ検出器３６０のフレーム３６２を示す。内部シャーシ１４０は、ＬＥＤ３８０の形態の光源を含む。図１９は、プロセッサ３５４に接続されたセンサ３８２を含む、印刷回路板３５０に対する高さ検出器３６０の取付けを示す。
【０１５１】
ＬＥＤ３８０およびセンサ３８２は、センサ３８２が、コーディング・ホイール３７６のアパーチャ３７８を経てＬＥＤ３８０によって放出された光を受光するように取り付けられる。コーディング・ホイール３７６の回転により、ＬＥＤ３８０によって放出された光ビームは断続的に遮断される。
【０１５２】
ストア１００が銀行券ハンドラ（以下において記述される）に挿入されるとき、プロセッサ３５４は、初期設定シーケンスを初期化し、それにより、モータ２４０（図６）は作動され、圧力プレート２０８は、可能な最低位置まで下降する。記述されたように、これにより、シャッタ５５４は下降する。圧力プレート２０８がばね２３０の行為下において上方に移動する際、コーティング・ホイール３７６は回転し、ＬＥＤ３８０によって放出される光は、断続的に遮断される。
【０１５３】
圧力プレート２０８の上方移動は、圧力プレート２０８の上にあるスタックの一番上の銀行券がプレート３００と接触するとき、断続される。圧力プレート２０８が移動を停止した後、プロセッサ３５４は、センサ３８２に当たる光が遮断された回数を計数する。プロセッサは、測定遮断回数と、銀行券がない場合に生じる光ビームの遮断回数（図示されていないメモリに記憶されている）とを比較する。それにより、プロセッサは、ストア１００が銀行券ハンドラ８００に最初に挿入されるとき、圧力プレート２０８の上にある銀行券のスタックの相対高さを測定することができる。
【０１５４】
プロセッサ８３０のメモリは、圧力プレート２０８の上に静止していることが可能である銀行券スタックの最大の高さを記憶し、これを測定遮断回数と比較することによって、スタックの高さを計算することも可能である。
【０１５５】
使用者は、プロセッサ３５４に含まれているソフトウエアを適切にプログラミングすることによって、ストア１００によって記憶されている銀行券のスタックの高さを報告するために、上述されたプロセスを随時繰り返すようにプロセッサ３５４に命令することができ、または、プロセッサ３５４は、所定の間隔においてこのプロセスを繰り返すようにプログラムすることができる。ストア１００は、印刷回路板３５０と統合された無線ラジオの形態のネットワーク接続を含む。それにより、プロセッサ３５４は、ストア１００に貯蔵されている銀行券のスタックの高さを使用者に報告し、それにより、使用者は、必要と見なされるとき、ストアを再充填する（または、事前に充填されたストアと置き換える）ことができる。
【０１５６】
同じ金種および通貨のものでも、銀行券は、使用期間に応じて、厚さが異なる。しかし、銀行券スタックの計算された高さは、ストア１００に貯蔵されている銀行券の数の妥当な推定を提供する。
【０１５７】
図２０は、本発明による銀行券ストア１０１の代替実施形態を示す。同じ参照符号が、同じ構成要素を示すために使用されている。銀行券ストア１０１は、支持フレーム１４１に対してシャフト３０８上で回転するように取り付けられた下方輸送ローラ３０６を含み、支持フレーム１４１は、たとえば図７に示されるように、銀行券ストア１００の下方輸送ローラ３０６に同じ位置および同じ方式において内部シャーシ１４０に添付される。
【０１５８】
下方輸送ローラ３０６は、銀行券ストア１００を参照して前述されたように、ストア１０１の外部に銀行券を輸送し、２つ以上の銀行券がスタックから取り除かれている場合、銀行券をストアに戻すように作用する。したがって、この下方輸送ローラ３０６は、著しい量の磨耗および亀裂を受け、交換されなければならない。このローラの配置のために、容易にはアクセス可能ではない。
【０１５９】
ローラ３０６およびシャフト３０８の図である図２１を参照すると、互いに変位している様々な構成要素が示されている。レバー３１４が、点３１６の回りに連接するために支持フレーム１４１に添付される。シャフト３０８は、第１部分３１８および第２部分３２０からなる。第１部分３１８は、ローラ３０６と係合するように成形される係合シャフト３２２をさらに含み、ローラ３０６がシャフト３０８と共に回転することを保証する。図示された実施形態では、係合シャフト３２２は、ローラ３０６の溝（図示せず）と係合するトング（図示せず）を含む。シャフト３０８は、ノブ３２４を含み、ノブ３２４に対する引く行為により、図２１に示されるように、シャフト３０８の第１部分３１８は、第２部分３２０から分離される。レバー３１４は、ノブ３２４とストップ３２４との間においてシャフト３０８と係合し、それにより、レバー３１４が適所にあるとき、第１部分３１８がシャフト３０８の第２部分３２０に対して移動することが防止される。
【０１６０】
使用者がローラ３０６を変更することを望むとき、レバー３１４は、点３１６の回りに移動され、シャフト３０８は、第１部分３１８を第２部分３２０から分離するために、ノブ３２４に対する行為によって引かれる。ノブ３２４に対するさらに引く行為により、第１部分３１８および第２部分３２０は十分に分離し、それにより、ローラ３０６は、係合シャフト３２２から脱係合し、銀行券ストア１０１の内部に降下し、そこでローラ３０６を回収することが可能である。次いで、そのようにして空いた空間に代わりのローラを挿入し、ノブ３２４に対する押す行為（および必要であれば、代わりのローラとの係合を保証するために、第１部分３１８を回転させること）によって、第１部分を再び適所に置くことができる。第１部分３１８が再び適所にあるようになった後、レバー３１４は、適所に再び移動し、代わりのローラを使用する用意が整う。
【０１６１】
シャフトは、ローラ３０６の取外しを可能にするように劈開するので、このローラは、銀行券ストア１０１の主要部分を分解することを必要とせずに、交換することが可能であり、それにより、このローラを交換することが可能である容易さが向上する。
【０１６２】
図２２は、いくつかの銀行券ストアを含む銀行券ハンドラ８００、銀行券を受け取り、貯蔵するキャッシュボックス８０２、銀行券を貯蔵し、必要時に銀行券を分与するペイアウト８０４、および銀行券を受け取り、貯蔵し、分与するリサイクラ８０６を示す。銀行券ハンドラ８００は、使用者が銀行券を挿入する入力８０８、および銀行券が使用者に分与される出力８１０をさらに備える。
【０１６３】
ヘッド部分８１２は、使用者によって挿入された銀行券、ならびにペイアウト８０４およびリサイクラ８０６から分与された銀行券の真正性を確認する銀行券認証装置８１４を含む。ゲート８１６は、所望の宛先に従って銀行券を再誘導する。ダイバータ８１８が、所望に応じて、バンドラ８２０、出力８１０、またはキャッシュボックス８０２に銀行券を誘導する。
【０１６４】
ばね部分８２２が、キャッシュボックス８０２、ペイアウト８０４、およびリサイクラ８０６に結合される。ヘッド部分８１２およびスパイン部分８２２は、図示された矢印の方向に銀行券を輸送するためのローラ、および当技術分野において既知の他の輸送手段（図示せず）を含む。したがって、スパイン部分８２２は、銀行券輸送装置として作用する。
【０１６５】
中央プロセッサ８３０が、キャッシュボックス８０２、ペイアウト８０４、およびリサイクラ８０６に接続され、これらの銀行券ストアの動作を制御し、銀行券が分与または貯蔵されるときを決定する。プロセッサ８３０は、銀行券ハンドラにおける銀行券の認証、束化、および輸送を制御するために、認証装置８１４、ゲート８１６、ダイバータ８１８、バンドラ８２０、ならびに様々なローラおよび輸送手段の動作も制御する。
【０１６６】
図２から１９に示された銀行券ストア１００は、図２２に示されたペイアウト８０４と同様であることが理解されるであろう。銀行券ハンドラ８００のスパイン部分８２２は、上述された方式でストア１００と係合する作動装置６２６（図２および３）を含む。スパイン部分は、ストア１００のコネクタ３５２と追合する電気コネクタ（図示せず）をも含む。それにより、プロセッサは、プロセッサ８３０に接続され、銀行券を分与および上述された他の機能が、銀行券ハンドラ８００のプロセッサ８３０の制御下において実施される。
【図面の簡単な説明】
【０１６７】
【図１Ａ】銀行券ストアの動作モードを示す概略図である。
【図１Ｂ】銀行券ストアの動作モードを示す概略図である。
【図１Ｃ】銀行券ストアの動作モードを示す概略図である。
【図１Ｄ】銀行券ストアの動作モードを示す概略図である。
【図１Ｅ】銀行券ストアの動作モードを示す概略図である。
【図２】本発明の好ましい実施形態による銀行券ストアの等角投影図である。
【図３】図２の銀行券ストアの詳細の等角投影図である。
【図４】図２の銀行券ストアと共に使用される光ガイドおよび支持体を示す図である。
【図５】図２の銀行券ストアの詳細の等角投影図である。
【図６】図２の銀行券ストアの詳細の等角投影図である。
【図７】図２の銀行券ストアの詳細の等角投影図である。
【図８】図２に銀行券ストアの詳細の平面図である。
【図９】図２の銀行券ストアの詳細の斜め背面図である。
【図１０】図９に示された詳細の分解図である。
【図１１】図２の銀行券ストアの詳細の等角投影図である。
【図１２】図２の銀行券ストアのリッドの下面の等角投影図である。
【図１３】図２の銀行券ストアにおいて使用される構成要素を示す図である。
【図１４】図２の銀行券ストアにおいて使用される構成要素を示す図である。
【図１５】図２の銀行券ストアにおいて使用される構成要素を示す図である。
【図１６】図２の銀行券ストアの詳細の等角投影図である。
【図１７】図２の銀行券ストアにおいて使用される構成要素を示す図である。
【図１８】図２の銀行券ストアにおいて使用される構成要素を示す図である。
【図１９】図２の銀行券ストアにおいて使用される構成要素を示す図である。
【図２０】本発明の他の好ましい実施形態による銀行券ストアの構成要素を示す図である。
【図２１】本発明の他の好ましい実施形態による銀行券ストアの構成要素を示す図である。
【図２２】銀行券ハンドラの概略図である。
【図１Ａ】
0005122804.tif 000002
【図１Ｂ】
0005122804.tif 000003
【図１Ｃ】
0005122804.tif 000004
【図１Ｄ】
0005122804.tif 000005
【図１Ｅ】
0005122804.tif 000006
【図２】
0005122804.tif 000007
【図３】
0005122804.tif 000008
【図４】
0005122804.tif 000009
【図５】
0005122804.tif 000010
【図６】
0005122804.tif 000011
【図７】
0005122804.tif 000012
【図８】
0005122804.tif 000013
【図９】
0005122804.tif 000014
【図１０】
0005122804.tif 000015
【図１２】
0005122804.tif 000016
【図１３】
0005122804.tif 000017
【図１４】
0005122804.tif 000018
【図１５】
0005122804.tif 000019
【図１６】
0005122804.tif 000020
【図１７】
0005122804.tif 000021
【図１８】
0005122804.tif 000022
【図１９】
0005122804.tif 000023
【図２０】
0005122804.tif 000024
【図２１】
0005122804.tif 000025
【図２２】
0005122804.tif 000026
【図１１】
0005122804.tif 000027